(57)【要約】      （修正有）【課題】メガネをポケットへの収納、取外しが容易にできて、上体を下げたときメガネがポケットからずり落ちるのを防ぐずり落ち防止ホルダー付きメガネフレームを提供する。【解決手段】メガネ１の片方のメガネのつる２にメガネずり落ち防止ホルダー３を設け、防止ホルダー３を固定ネジ又はナットワッシャーで固定する。他方のつるを先に折畳み、ズレ落ち防止ホルダー３が取付いている方をその上に折畳む、防止ホルダーは畳む際も邪魔にならないし、ポケットに差し込んでもずり落ち防止ホルダーで留めているので、上体を下げてもメガネがずり落ちない。【選択図】図１
0003150423.tif 000002
【実用新案登録請求の範囲】
【請求項１】
メガネのつる又はフレームの先端部にずり落ち防止ホルダーを取付けた事を特徴としたメガネフレーム。
【請求項２】
メガネの左右のつる又はフレームにずり落ち防止ホルダーを設けたメガネフレームを金属又は樹脂にて一体製作した請求項１記載のメガネフレーム。
【請求項３】
メガネのつる又はフレームに環状のフックを一体整型し鎖、紐等を結び、他方を使用者又は机などと繋ぐ事により紛失、落下を防止でき、又壁や柱に懸けることも可能にしたメガネフレームー。
【考案の詳細な説明】
【技術分野】
【０００１】  本考案は、眼鏡を外し、折畳んで一時胸のポケットにしまい、下を向いた拍子に眼鏡が落下してしまう事を効果的に防止するメガネホルダーに関する。
【背景技術】
【０００２】  従来は、メガネ又はサングラスは、つる又はフレームの両側を折畳んで収納するような構造で、使用中は問題ないが、不要時は折畳んで衣服のポケットに差込んでいる。洗顔とかで不用意に前かがみになった時等にポケットからメガネがずり落ちレンズを破損したり、傷をつけたり、自分の足で踏み付けフレームを破損したりしまう事がある。又、メガネのフレームに、チエーンを取付けて使用しているが、屋内では良いがが、外出時には不向きであまり使用されていないのが現状である。
【考案の開示】
【考案が解決しようとする課題】
【０００３】  それには次のような問題点があった。
従来は、メガネを外し、シャツ、服のポケット等に入れ、うっかり前かがみになった時にポケットからメガネがずり落ちてメガネのレンズが破損・キズ等が出来たり、洗面所で顔を洗うときにメガネをはずして置き場所に困ったりするとき等に胸ポケットに入れても、顔を洗うときにずり落ちてしまう等の問題があり、この問題点を解決しようとするものである。
【課題を解決するための手段】
【０００４】  メガネにおいて、左右のメガネの後から折畳むつるにメガネずり落ち防止ホルダーを設け、防止ホルダーを固定ネジ又はナットワッシャーで固定する。ホルダーなしのメガネのつるを先に折畳み、防止ホルダーが取付けてあるつるを後から折畳む、防止ホルダーは畳む際も邪魔にならないし、ポケットにメガネを差し込む際ずり落ち防止ホルダーでポケットを挟んで留めているので、上体を下げてもメガネがずり落ちない事を特徴としたメガネずり落ち防止用のメガネフレーム。
【考案の効果】
【０００５】  本考案は、メガネのつるに爪状の金具を設け、金具でポケットに固定することにより収納取出しが容易に出来、上体をさげてもずり落ちる心配も無く又、紛失の心配もない、メガネを使用するときは即座にとりだすことが出来る効果がある。
【考案を実施するための最良の形態】
【０００６】  以下、本考案の実施の形態を説明する。
メガネ１の左右のメガネのつる２にメガネずり落ち防止ホルダー３を設けずり落ち防止ホルダー３を固定ネジ４又はナット５ワッシャー６で固定する。下側になる方のメガネのつるを先に折畳み、ずり落ち防止ホルダー３が取付けてあるメガネのつるをその上に折畳む、ずり落ち防止ホルダー３は畳む際も邪魔にならないし、ポケットに差し込む際ポケットの渕をずり落ち防止ホルダー３で留めているので、上体を下げてもメガネがずり落ちないメガネずり落ち防止付メガネフレームである。
本考案は、以上の構成よりなっている。
【図面の簡単な説明】
【０００７】
【図１】  本考案のメガネ本体平面図
【図２】  本考案のメガネ本体側面図
【図３】  本考案のホルダー側面図
【図４】  本考案のホルダー平面図
【図５】  本考案のホルダー断面図
【符号の説明】
【０００８】１    メガネフレーム本体
２    つる
３    ずり落ち防止ホルダー
４    固定ネジ
５    ナット
６    ワッシャー
【図１】
0003150423.tif 000003
【図２】
0003150423.tif 000004
【図３】
0003150423.tif 000005
【図４】
0003150423.tif 000006
【図５】
0003150423.tif 000007
【手続補正書】
【提出日】平成21年3月9日(2009.3.9)
【手続補正１】
【補正対象書類名】実用新案登録請求の範囲
【補正対象項目名】全文
【補正方法】変更
【補正の内容】
【実用新案登録請求の範囲】
【請求項１】
つるのレンズ側端部の外側面に、クリップ状のずり落ち防止ホルダーを備えたことを特徴とするメガネフレーム。
【請求項２】
前記つるは金属製又は樹脂製で、前記ずり落ち防止ホルダーは、前記つるに一体成形されている、請求項１に記載のメガネフレーム。
【手続補正２】
【補正対象書類名】明細書
【補正対象項目名】全文
【補正方法】変更
【補正の内容】
【考案の詳細な説明】
【技術分野】
【０００１】  本考案はメガネフレーム、より詳細には、非装着時に胸ポケットに折り畳み収納されたメガネが、不用意に脱落することを防止する機能を備えたメガネフレームに関するものである。
【背景技術】
【０００２】  メガネ又はサングラスは、外出時において不使用時に、フレームを折り畳んで胸ポケット等に収納することが少なくないが、その状態で洗顔等のために前かがみになった際にメガネがポケットから滑り落ち、レンズが破損したり傷付いたりするおそれがある。メガネフレームにチェーンを取り付けて使用することもできるが、外出時には不向きで、あまり利用されていないのが現状である。
【考案の開示】
【考案が解決しようとする課題】
【０００３】  本考案は、上述したように、洗顔等のために前かがみになった際に、ポケットに収納したメガネが滑り落ち、レンズが破損したり傷付いたりすることがあることに鑑みてなされたもので、ポケットに収納したメガネが前かがみになった際においても滑り落ちることがなく、滑り落ちることでレンズが破損したり傷付いたりするおそれがない、メガネフレームを提供することを課題とする。
【課題を解決するための手段】
【０００４】  上記課題を解決するための請求項１に記載の考案は、つるのレンズ側端部の外側面に、クリップ状のずり落ち防止ホルダーを備えたことを特徴とするメガネフレームである。前記つるを金属製又は樹脂製とし、前記ずり落ち防止ホルダーを前記つるに一体成形することができる。
【考案の効果】
【０００５】  本考案に係るメガネフレームは、つるのレンズ側端部の外側面に、クリップ状のずり落ち防止ホルダーを備えているので、該ホルダーをポケットの縁に挟み付けてそこに保持させることができるので、ポケットに収納したメガネが前かがみになった際においても滑り落ちることがなく、以て、滑り落ちることでレンズが破損したり傷付いたりするおそれがなく、また、メガネ紛失のおそれもなくなり、使用時には即座に取り出せるという効果がある。
【考案を実施するための最良の形態】
【０００６】  本考案を実施するための最良の形態について、添付図面に依拠して詳細に説明する。本考案に係るメガネフレーム１は、つる２のレンズ側端部の外側面に、クリップ状のずり落ち防止ホルダー３を備えたことを特徴とするものである。【０００７】  ずり落ち防止ホルダー３は、つる２を金属製又は樹脂製としてこれに一体成形してもよいし、別体としてつる２に後付けすることとしてもよい。図示した例は後者で、その場合は、ずり落ち防止ホルダー３の一端部につる２を取り巻く取巻き部７を設け、取巻き部７の開放端部をねじ４、ナット５及びワッシャー６で締め付け固定するものである。【０００８】  このずり落ち防止ホルダー３を備えたメガネフレームを折り畳む場合は、先ず、ずり落ち防止ホルダー３を備えていない方のつる２を先に折り畳み、次いで、ずり落ち防止ホルダー３を備えている方のつる２をその上に折り畳むようにすれば、折り畳みに際して、ずり落ち防止ホルダー３が邪魔になることはない。【０００９】  本考案に係るメガネフレームのメガネを、不使用時に折り畳んでポケットに差し込む場合は、折り畳み時に外側にくるずり落ち防止ホルダー３をポケットの縁に挟み付ける。このようにずり落ち防止ホルダー３がポケットの縁を挟むために、メガネがずれず、そこから脱落しにくくなり、以て、メガネが滑り落ちることでレンズが破損したり傷付いたりするおそれがなくなる。また同時に、メガネ紛失のおそれもなくなる。メガネ使用時には、上方に引っ張れば、即座に取り出すことができる。
【図面の簡単な説明】
【００１０】
【図１】本考案に係るメガネフレームの要部の平面図である。
【図２】本考案に係るメガネフレームの側面図である。
【図３】本考案に係るメガネフレームにおけるずり落ち防止ホルダーの平面図である。
【図４】本考案に係るメガネフレームにおけるずり落ち防止ホルダーの正面図である。
【図５】本考案に係るメガネフレームにおけるずり落ち防止ホルダーの左側面図である。
【符号の説明】
【００１１】１    メガネフレーム２    つる３    ずり落ち防止ホルダー４    ねじ５    ナット６    ワッシャー７    取巻き部
【手続補正３】
【補正対象書類名】図面
【補正対象項目名】全図
【補正方法】変更
【補正の内容】
【図１】
0003150423.tif 000008
【図２】
0003150423.tif 000009
【図３】
0003150423.tif 000010
【図４】
0003150423.tif 000011
【図５】
0003150423.tif 000012